(57)【要約】【課題】スクリーンに表示される画像の画質の悪化を防止する。【解決手段】スクリーン４の前面側に該スクリーンと所定の間隔を置いて配置される光学フィルター２に、入射される外光を円偏光に変換すると共にスクリーンで反射され偏光方向が逆転された円偏光の透過を制限する円偏光フィルター層３ｂを設けた。【選択図】　　　　　図３
2004053639.tif 000002
【特許請求の範囲】
【請求項１】
スクリーンの前面側に該スクリーンと所定の間隔を置いて配置される光学フィルターであって、
入射される外光を円偏光に変換すると共にスクリーンで反射され偏光方向が逆転された円偏光の透過を制限する円偏光フィルター層を設けた
ことを特徴とする光学フィルター。
【請求項２】
上記スクリーンがプラズマディスプレイパネルである
ことを特徴とする請求項１に記載の光学フィルター。
【請求項３】
スクリーンの前面側に該スクリーンと所定の間隔を置いて配置される光学フィルターを備えた画像表示装置であって、
上記光学フィルターに、入射される外光を円偏光に変換すると共にスクリーンで反射される円偏光の透過を制限する円偏光フィルター層を設けた
ことを特徴とする光学フィルターを備えた画像表示装置。
【請求項４】
上記スクリーンがプラズマディスプレイパネルである
ことを特徴とする請求項３に記載の光学フィルターを備えた画像表示装置。
【発明の詳細な説明】
【０００１】
【発明の属する技術分野】
本発明は光学フィルター及びこれを備えた画像表示装置に関する。詳しくは、スクリーンに表示される画像の画質の悪化を防止する技術分野に関する。
【０００２】
【従来の技術】
スクリーンに画像を表示する画像表示装置には、スクリーンの前面側に光学フィルターが配置されたものがある。
【０００３】
このような画像表示装置としては、例えば、スクリーンとしてプラズマディスプレイパネルを用いたものがあり、光学フィルターは輻射の防止、光透過率の制御、色度の制御、外光の反射防止、プラズマディスプレイパネルの保護、近赤外線の遮蔽等といった各種の機能を発揮する。
【０００４】
以下に、従来の画像表示装置の一例を示す（図４及び図５参照）。
【０００５】
画像表示装置ａは、筐体ｂに所要の各構成要素が配置されて成る。
【０００６】
筐体ｂは、例えば、前方に開口された扁平な箱状に形成され、筐体ｂの前面側に光学フィルターｃが配置されている（図４参照）。
【０００７】
光学フィルターｃは、例えば、前面側から順に反射防止フィルムｄ、粘着層ｅ、ガラス基板ｆ、色素含有接着層ｇ及び電磁波シールドフィルムｈが積層されて成り、反射防止フィルムｄとガラス基板ｆとが粘着層ｅを介して接合され、ガラス基板ｆと電磁波シールドフィルムｈとが色素含有接着層ｇを介して接合されている（図５参照）。
【０００８】
反射防止フィルムｄ及び電磁波シールドフィルムｈは、例えば、樹脂材料によって形成されている。
【０００９】
反射防止フィルムｄは光学フィルターｃへ向かう外光の反射率を低下させる機能を有し、ガラス基板ｆは筐体ｂの内部に配置されるスクリーンの保護等の機能を有し、色素含有接着層ｇはスクリーンに表示される画像の色度の制御等の機能を有し、電磁波シールドフィルムｈはスクリーン側からの輻射を防止する機能を有している。
【００１０】
筐体ｂの内部には、スクリーンとしてプラズマディスプレイパネルｉが配置されている。プラズマディスプレイパネルｉは放電空間を介して２枚の基板ｊ、ｋが対向した状態で配置されて成り、前側の基板ｊには誘電体層が設けられ、後側の基板ｋには蛍光体層が設けられている。
【００１１】
プラズマディスプレイパネルｉは、その駆動時に発生する熱により高温となる。従って、プラズマディスプレイパネルｉは、光学フィルターｃの樹脂材料によって形成された反射防止フィルムｄ及び電磁波シールドフィルムｈのプラズマディスプレイパネルｉにおける発熱の影響による変形を防止するために、光学フィルターｃとは、通常、５ｍｍ程度の間隔を置いて配置されている。
【００１２】
プラズマディスプレイパネルｉの後面側には、該プラズマディスプレイパネルｉの駆動を行うための駆動回路ｌが設けられている。
【００１３】
【発明が解決しようとする課題】
上記したように、光学フィルターｃとプラズマディスプレイパネルｉとは一定の間隔を置いて配置されているため、プラズマディスプレイパネルｉの発熱による光学フィルターｃの樹脂材料によって形成された各部の変形は防止することができる。
【００１４】
ところが、光学フィルターｃとプラズマディスプレイパネルｉとが一定の間隔を置いて配置されているため、光学フィルターｃの表面において外光が反射されると共に光学フィルターｃを透過された外光がプラズマディスプレイパネルｉの表面においても反射されるため、この２つの反射に起因して２重像が生じてしまう。
【００１５】
この２重像により使用者にとっては画像が極めて見にくいものとなるばかりでなく、２度の反射によりコントラストの低下をも来たすという問題がある。
【００１６】
そこで、本発明は、スクリーンに表示される画像の画質の悪化を防止することを課題とする。
【００１７】
【課題を解決するための手段】
本発明光学フィルターは、入射される外光を円偏光に変換すると共にスクリーンで反射され偏光方向が逆転された円偏光の透過を制限する円偏光フィルター層を設けたものである。
【００１８】
本発明光学フィルターを備えた画像表示装置は、光学フィルターに、入射される外光を円偏光に変換すると共にスクリーンで反射され偏光方向が逆転された円偏光の透過を制限する円偏光フィルター層を設けたものである。
【００１９】
従って、本発明にあっては、スクリーンで反射されて光学フィルターに入射される円偏光の透過が制限される。
【００２０】
【発明の実施の形態】
以下に、本発明の詳細を添付図面を参照して説明する（図１乃至図３参照）。尚、以下に示した実施の形態は、本発明を、スクリーンとしてプラズマディスプレイパネルが用いられた画像表示装置に適用したものである。
【００２１】
画像表示装置１は、筐体２に所要の各構成要素が配置されて成る。
【００２２】
筐体２は、例えば、前方に開口された扁平な箱状に形成され、筐体２の前面側に光学フィルター３が配置されている（図１参照）。筐体２の上面部と下面部の各内面には、それぞれ保持部２ａ、２ａが設けられている。
【００２３】
光学フィルター３は、例えば、前面側から順に反射防止フィルム３ａ、円偏光フィルター層３ｂ、粘着層３ｃ、ガラス基板３ｄ、色素含有接着層３ｅ及び電磁波シールドフィルム３ｆが積層されて成り、円偏光フィルター層３ｂとガラス基板３ｄとが粘着層３ｃを介して接合され、ガラス基板３ｄと電磁波シールドフィルム３ｆとが色素含有接着層３ｅを介して接合されている（図２参照）。
【００２４】
反射防止フィルム３ａ及び電磁波シールドフィルム３ｆは、例えば、樹脂材料によって形成されている。
【００２５】
反射防止フィルム３ａは光学フィルター３へ向かう外光の反射等を低下させる機能を有し、円偏光フィルター層３ｂは入射された外光を円偏光に変換する等の機能を有し、ガラス基板３ｄは筐体２の内部に配置される後述するプラズマディスプレイパネルの保護等の機能を有し、色素含有接着層３ｅはプラズマディスプレイパネルに表示される画像の色度の制御等の機能を有し、電磁波シールドフィルム３ｆはプラズマディスプレイパネル側からの輻射を防止する機能を有している。
【００２６】
円偏光フィルター層３ｂは、入射したランダム偏光を円偏光に変換して射出する透光層である。円偏光フィルター層３ｂは前面側に位置される直線偏光子と後面側に位置される１／４位相差板とが組み合わされて形成され、偏光分離層と１／４位相差面とを有している。
【００２７】
筐体２の内部には、スクリーンとしてプラズマディスプレイパネル４が配置され、該プラズマディスプレイパネル４は保持部２ａ、２ａに保持されている（図１参照）。プラズマディスプレイパネル４は放電空間を介して２枚の基板４ａ、４ｂが対向した状態で配置されて成り、前側の基板４ａには誘電体層が設けられ、後側の基板４ｂには蛍光体層が設けられている。
【００２８】
プラズマディスプレイパネル４は、光学フィルター３の樹脂材料によって形成された反射防止フィルム３ａ及び電磁波シールドフィルム３ｆのプラズマディスプレイパネル４の発熱の影響による変形を防止するために、光学フィルター３とは５ｍｍ程度の間隔を置いて配置されている（図１参照）。
【００２９】
プラズマディスプレイパネル４の後面側には、該プラズマディスプレイパネル４の駆動を行うための駆動回路５が設けられている。
【００３０】
以上のようにして構成された画像表示装置１において、光学フィルター２に向かった外光（ランダム偏光）は、その一部が反射防止フィルム３ａの表面で反射し、外光のうち、反射されなかった光は反射防止フィルム３ａの表面から内部へ入射する（図３参照）。
【００３１】
外光が反射防止フィルム３ａを透過して円偏光フィルター層３ｂに入射すると、円偏光フィルター層３ｂの偏光分離層によって分離された所定の偏光面を有する直線偏光が偏光分離層を透過する。所定の偏光面を有さない光は偏光分離層で吸収される。透過した所定の偏光面を有する直線偏光は、円偏光フィルター層３ｂの１／４位相差面によって、右回り又は左回りの円偏光に変換される（図３参照）。
【００３２】
右回り又は左回りの円偏光は円偏光フィルター層３ｂを透過してプラズマディスプレイパネル４へ向かう。プラズマディスプレイパネル４へ向かった右回り又は左回りの円偏光はプラズマディスプレイパネル４の表面で反射し、逆回り、即ち、左回り又は右回りの円偏光に変換される（図３参照）。左回り又は右回りの円偏光は再び光学フィルター３の円偏光フィルター層３ｂに入射する。円偏光フィルター層３ｂに入射した左回り又は右回りの円偏光は、１／４位相差面によって上記した所定の偏光面と直交する偏光面を有する直線偏光に変換され、偏光分離層で吸収されて光学フィルター３から外部へ出射されない（図３参照）。
【００３３】
以上に記載した通り、画像表示装置１にあっては、光学フィルター３に円偏光フィルター層３ｂを設けているため、光学フィルター３へ向かった外光の少なくとも一部の光学フィルター３からの外部への透過が制限される。
【００３４】
従って、２重像の解消及びコントラストの向上を図ることができ、画質の悪化を防止することができる。
【００３５】
尚、光学フィルター３とプラズマディスプレイパネル４との配置状態に変更はなく、両者は所定の間隔を置いて配置された状態であるため、プラズマディスプレイパネル４の駆動時の発熱による光学フィルター３の変形という問題は生じることがなく、円偏光フィルター層３ｂ等の光学フィルター３の各部の材料の選択の余地が広がる。
【００３６】
また、上記には、円偏光フィルター層３ｂを反射防止フィルム３ａの直ぐ後側に配置した例を示したが、円偏光フィルター層３ｂの光学フィルター３における配置位置はこれに限られることがなく、任意の位置に配置することができる。
【００３７】
上記には、スクリーンとしてプラズマディスプレイパネル４を用いた例を示したが、本発明はスクリーンとしてプラズマディスプレイパネル４が用いられる場合に限らず、例えば、ＣＲＴやエレクトロルミネッセンスディスプレイ等の自発光型のスクリーンを用いた場合にも適用することができる。
【００３８】
但し、スクリーンとしてプラズマディスプレイパネル４を用いた場合には、プラズマディスプレイパネル４が特に駆動時に高温となり易く光学フィルターとの間に一定以上の間隔を置く必要があることから、２重像の問題が発生し易いため、本発明をプラズマディスプレイパネル４を有する画像表示装置１に適用した場合には、２重像の解消等の点で特に有効である。
【００３９】
【発明の効果】
以上に記載したところから明らかなように、請求項１に記載した発明によれば、２重像の解消及びコントラストの向上を図ることができ、画質の悪化を防止することができる。
【００４０】
請求項２に記載した発明によれば、２重像の解消及びコントラストの向上を効果的に図ることができる。
【００４１】
請求項３に記載した発明によれば、２重像の解消及びコントラストの向上を図ることができ、画質の悪化を防止することができる。
【００４２】
請求項４に記載した発明によれば、２重像の解消及びコントラストの向上を効果的に図ることができる。
【図面の簡単な説明】
【図１】図２及び図３と共に本発明の実施の形態を示すものであり、本図は画像表示装置の概略断面図である。
【図２】光学フィルターの構成を示す拡大断面図である。
【図３】光学フィルターに設けられた円偏光フィルター層の機能を説明するための概念図である。
【図４】図５と共に従来の画像表示装置を示すものであり、本図は概略断面図である。
【図５】光学フィルターの構成を示す拡大断面図である。
【符号の説明】
１…画像表示装置、３…光学フィルター、３ｂ…円偏光フィルター層、４…プラズマディスプレイパネル
【図１】
2004053639.tif 000003
【図２】
2004053639.tif 000004
【図３】
2004053639.tif 000005
【図４】
2004053639.tif 000006
【図５】
2004053639.tif 000007